【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
内部にヒータを有する炉と、
前記炉に開閉自在に装着された扉と、
前記扉に設けられ、前記炉内の温度を制御するための温度制御装置と、
前記扉に外部から操作可能に設けられ、前記温度制御装置に対する指示を入力するための操作パネルと、
を備えた陶芸窯であって、
前記操作パネルが前記温度制御装置の表面に前記温度制御装置と一体に設けられ、前記温度制御装置が前記扉に埋設されて、前記操作パネルの表面が前記扉の表面とほぼ面一になるように設けられ、
且つ、前記扉には、前記温度制御装置を介して前記炉側に断熱材が備えられている陶芸窯。
【請求項２】
前記扉には、
前記炉の開口のほぼ全面を覆う断熱材と、
空気層を介して、前記断熱材の外周側面と前記炉とは反対側に位置する前記断熱材の面を覆う扉カバーと、
が備えられている請求項１に記載の陶芸窯。
【請求項３】
前記扉には、
前記扉の内側に装着された冷却用のファンと、
前記扉カバーに形成され空気を流出入させるためのスリットと、
が備えられている請求項２に記載の陶芸窯。
【請求項４】
内部にヒータを有する炉と、
前記炉に開閉自在に装着された扉と、
前記炉の側壁の表面側に配設された温度制御装置と、
前記扉に外部から操作可能に設けられ、前記温度制御装置に対する指示を入力するための操作パネルと、
を備えた陶芸窯であって、
前記炉には、耐火材からなる内枠部と、前記内枠部の周囲に設けられた断熱材と、空気層を介して前記断熱材の周囲に配置された外枠部と、が備えられ、
前記温度制御装置が、前記炉の断熱材と外枠部との間の空気層に配設されている陶芸窯。
【請求項５】
前記炉の外枠部の内側に冷却用のファンを備えると共に、前記外枠部に、空気を流入するためのスリットを備えている、
請求項４に記載の陶芸窯。
【請求項６】
前記炉が前面に開口を有し、
前記扉が、前記炉の前面を覆うように配置され、前記扉の横方向一端側に設けられた縦方向のヒンジ軸の回りに開閉自在に構成されている、
請求項１から請求項５のいずれかに記載の陶芸窯。
【手続補正２】
【補正対象書類名】明細書
【補正対象項目名】０００９
【補正方法】変更
【補正の内容】
【０００９】
また、請求項１に係る陶芸窯は、操作パネルの表面が扉の表面とほぼ面一になる（所謂、ほぼ同一面になる）ように扉に設けられ、温度制御装置が扉に埋設されている。この場合は、扉から操作パネル及び温度制御装置が著しく突出することがないので、より小形化が図れると共に外観意匠上も好ましい。
【手続補正３】
【補正対象書類名】明細書
【補正対象項目名】００１０
【補正方法】変更
【補正の内容】
【００１０】
また、請求項１に係る陶芸窯は、操作パネルが温度制御装置の表面に温度制御装置と一体で設けられている。この場合は、操作パネルと温度制御装置とが別体で設けられている場合に比較して、構成が簡単になると共に、これらを配設するための占有スペースも小さくなり、より小型化を図ることができる。
【手続補正４】
【補正対象書類名】明細書
【補正対象項目名】００１１
【補正方法】変更
【補正の内容】
【００１１】
また、請求項１に係る陶芸窯は、扉には、温度制御装置を介して炉側に断熱材が備えられて、温度制御装置が断熱材を介して扉表面側に配置されているので、温度制御装置の温度上昇を抑えることができる。
【手続補正５】
【補正対象書類名】明細書
【補正対象項目名】００１２
【補正方法】変更
【補正の内容】
【００１２】
請求項２に係る陶芸窯は、請求項１に記載の陶芸窯において、前記扉には、記炉の開口のほぼ全面を覆う断熱材と、空気層を介して、前記断熱材の外周側面と前記炉とは反対側に位置する前記断熱材の面を覆う扉カバーとが備えられている。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
請求項３に係る陶芸窯は、請求項２に記載の陶芸窯において、前記扉には、前記扉の内側に装着された冷却用ファンと、前記扉カバーに形成され空気を流出入させるためのスリットと、が備えられている。
【手続補正８】
【補正対象書類名】明細書
【補正対象項目名】００１７
【補正方法】変更
【補正の内容】
【００１７】
請求項４に係る陶芸窯は、内部にヒータを有する炉と、前記炉に開閉自在に装着された扉と、前記炉の側壁の表面側に配設された温度制御装置と、前記扉に外部から操作可能に設けられ、前記温度制御装置に対する指示を入力するための操作パネルと、を備えた陶芸窯であって、前記炉には、耐火材からなる内枠部と、前記内枠部の周囲に設けられた断熱材と、空気層を介して前記断熱材の周囲に配置された外枠部と、が備えられ、前記温度制御装置が、前記炉の断熱材と外枠部との間の空気層に配設されている。
【手続補正９】
【補正対象書類名】明細書
【補正対象項目名】００１８
【補正方法】変更
【補正の内容】
【００１８】
この陶芸窯においても、炉の断熱材のさらに表面側（外側）に温度制御装置が配置されているので、温度制御装置の温度上昇を抑えつつ、従来の窯に比較して窯全体の大きさを小型化することができる。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
また、請求項４に係る陶芸窯では、炉の断熱用の空気層が設けられたスペースを利用して、温度制御装置が配置されているので、温度制御装置の温度上昇を抑えつつ、従来の窯に比較して窯全体の大きさを小型化できる。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
請求項５に係る陶芸窯は、請求項４記載の陶芸窯において、前記炉の外枠部の内側に冷却用のファンを備えると共に、前記外枠部に、空気を流入するためのスリットを備えている。これにより、温度制御装置及び炉表面の温度上昇を抑えることができる。
【手続補正１４】
【補正対象書類名】明細書
【補正対象項目名】００２３
【補正方法】変更
【補正の内容】
【００２３】
請求項６に係る陶芸窯は、請求項１から請求項５のいずれかに記載の陶芸窯において、前記炉が前面に開口を有し、前記扉が、前記炉の前面を覆うように配置され、前記扉の横方向一端側に設けられた縦方向のヒンジ軸の回りに開閉自在に構成されている。
【手続補正１５】
【補正対象書類名】明細書
【補正対象項目名】００３０
【補正方法】変更
【補正の内容】
【００３０】
扉カバー１１は断熱材１０の上下左右の側面と前面（所謂、炉とは反対側に位置する断熱材の面である）とを覆うように形成されている。この扉カバー１１は、扉カバー１１の内面と断熱材１０との間に断熱用の空気層１５（図４参照）が形成されるように、断熱材１０との間に隙間を介して取り付けられている。また、扉カバー１１の一部には、温度制御装置３の表面が外部に露出するように、開口１１ａが形成されている。さらに、扉カバー１１のヒンジ８ａ，８ｂとは逆側の一側部に、開閉操作用の取っ手１６が設けられている。